(57)【要約】【課題】ヒートローラの高温異常を正確に検知し、高精度で安全な温度制御を実現することのできる加熱装置、画像形成装置を提供する。【解決手段】加熱部により加熱されるヒートローラと、前記ヒートローラに当接して温度を検知する温度検知位置と、前記ヒートローラから離間した離間位置との間を移動可能な温度検知部と、前記温度検知部により検知した温度が所定温度以上であるときに前記加熱部の電源をオフするスイッチと、所定のタイミングで前記温度検知部を前記温度検知位置に移動させる制御部とを備えてなる。【選択図】  図１
2005017511.tif 000002
【特許請求の範囲】
【請求項１】
加熱部により加熱されるヒートローラと、
前記ヒートローラに当接して温度を検知する温度検知位置と、前記ヒートローラから離間した離間位置との間を移動可能な温度検知部と、
前記温度検知部により検知した温度が所定温度以上であるときに前記加熱部の電源をオフするスイッチと、
所定のタイミングで前記温度検知部を前記温度検知位置に移動させる制御部とを備えてなる加熱装置。
【請求項２】
請求項１に記載の加熱装置において、
前記制御部は、所定時間毎に前記温度検知部を前記温度検知位置に移動させる加熱装置。
【請求項３】
請求項１又は２に記載の加熱装置を備え、
前記加熱装置によりシートにトナー像を加熱定着させる画像形成装置。
【発明の詳細な説明】
【０００１】
【発明の属する技術分野】
本発明は、加熱装置、およびこれを備えた画像形成装置に関するものである。
【０００２】
【従来の技術】
従来、ヒートローラを備えた加熱装置において、ヒートローラの熱暴走を停止させるためにサーモスタッドを用いている。このような従来の加熱装置においては、サーモスタッドはヒートローラのローラ面から数ｍｍの隙間を設けて配置されており、この隙間を介してヒートローラ表面の雰囲気の温度を検知して、ヒートローラの温度制御を行っていた（例えば、特許文献１参照。）。
【０００３】
【特許文献１】
特開平６−２８２２００号公報  （第５―１０頁、第４図）
【０００４】
【発明が解決しようとする課題】
しかし、このような従来の構成で検知できるのは、あくまでヒートローラ表面の雰囲気の温度であり、実際のヒートローラのローラ面の表面温度を考えた場合、使用環境やサーモスタッド取り付け時に決まるヒートローラとの隙間のばらつき等の影響により、正確にヒートローラの高温異常が検知できているとは言い難い。
【０００５】
本発明は上述した問題点を解決するためになされたものであり、ヒートローラの高温異常を正確に検知し、高精度で安全な温度制御を実現することのできる加熱装置、画像形成装置を提供することを目的とする。
【０００６】
【課題を解決するための手段】
上述した課題を解決するため、本発明に係る加熱装置は、加熱部により加熱されるヒートローラと、前記ヒートローラに当接して温度を検知する温度検知位置と、前記ヒートローラから離間した離間位置との間を移動可能な温度検知部と、前記温度検知部により検知した温度が所定温度以上であるときに前記加熱部の電源をオフするスイッチと、所定のタイミングで前記温度検知部を前記温度検知位置に移動させる制御部とを備えてなる構成としている。
【０００７】
上述した課題を解決するため、本発明に係る画像形成装置は、上述のような加熱装置を備え、前記加熱装置によりシートにトナー像を加熱定着させる構成となっている。
【０００８】
【発明の実施の形態】
以下、本発明の実施の形態について図面を参照しつつ説明する。
（第１の実施の形態）
以下、本発明の第１の実施の形態について詳細に説明する。
【０００９】
図１は本発明の第１の実施の形態による加熱装置および画像形成装置について説明するための全体構成図、図２は本発明の第１の実施の形態による加熱装置および画像形成装置について説明するための機能ブロック図である。
【００１０】
本実施の形態による加熱装置は、ヒートローラ１１、サーモスタッド１４、ソレノイド１２、サーミスタ１３、ＣＰＵ（制御部）２１、ＲＯＭ２２、ＲＡＭ２３、Ｉ／Ｏポート２４、Ａ／Ｄコンバータ２８およびヒータ（加熱部）２ａから構成されている。
【００１１】
サーモスタッド１４は、不図示の温度検知部およびスイッチから構成されており、ソレノイド１２を駆動源として図１に示すＸ方向に移動可能となっている。具体的には、サーモスタッド１４の不図示の温度検知部は、ソレノイド１２がＯＦＦのときヒートローラ１１のローラ面に当接してローラ面の温度を検知する温度検知位置にあり、ソレノイド１２がＯＮのときヒートローラ１１から離間した離間位置にある。
【００１２】
なお、サーモスタッド１４は、不図示の温度検知部のみが不図示のスイッチから独立してＸ方向に移動可能な構成であってもよいし、不図示の温度検知部と不図示のスイッチとが一体的に移動する構成であってもよい。
【００１３】
サーミスタ１３は、サーモスタッド１４における温度検知部と同様、ヒートローラ１１のローラ面の温度を検知しており、サーミスタ１３により検知された温度情報はＡ／Ｄコンバータ２８においてＡ／Ｄ変換され、Ｉ／Ｏポート２４を介してＣＰＵ２１へと送信される。
【００１４】
ヒートローラ１１は、ヒータ２ａにより加熱される。サーモスタッド１４の不図示のスイッチは、不図示の温度検知部により検知したローラ面の温度が所定温度以上であるときにヒータ２ａの電源をオフする。ソレノイド１２は、Ｉ／Ｏポート２４を介してＣＰＵ２１により制御される。
【００１５】
また、上述したような加熱装置を備えた画像形成装置を構成し、この画像形成装置において、加熱装置によりシートにトナー像を加熱定着させることもできる。
【００１６】
図３は、本発明の第１の実施の形態による加熱装置および画像形成装置の動作について説明するためのフローチャートである。
【００１７】
まず、ソレノイド１２がＯＦＦの状態（Ｓ３１）、すなわち、サーモスタッド１４の不図示の温度検知部が温度検知位置にあるとき、ヒートローラ１１のローラ面が温度異常の状態（所定温度以上である状態）となっているか否かＣＰＵ２１により判定する（Ｓ３２）。ここで、温度異常となっていれば（Ｓ３２，Ｙｅｓ）、サーモスタッド１４の不図示のスイッチによりヒータ２ａの電源を切断（オフ）する。また、電源の切断と同時に不図示の表示部においてエラー表示を行う（Ｓ３９）。
【００１８】
一方、ヒートローラ１１のローラ面が温度異常となっていなければ（Ｓ３２，Ｎｏ）、印字動作を開始するか否かの判定をＣＰＵ２１により行う（Ｓ３３）。
【００１９】
印字動作を開始する場合（Ｓ３３，Ｙｅｓ）、ソレノイド１２をＯＮの状態にし、温度検知部を離間位置に移動させる（Ｓ３４）。一方、印字動作を開始しない場合（Ｓ３３，Ｎｏ）、再び温度検知処理（Ｓ３２）に戻る。
【００２０】
印字動作が終了している場合（Ｓ３５，Ｙｅｓ）、ソレノイド１２をＯＦＦの状態にし、温度検知部を温度検知位置に移動させる（Ｓ３１）。一方、印字動作が終了していない場合（Ｓ３５，Ｎｏ）、印字動作を開始してから所定時間（ここでは、発煙時間）が経過しているか否かをＣＰＵ２１により判定する（Ｓ３６）。
【００２１】
所定時間経過していなければ（Ｓ３６，Ｎｏ）、印字動作が終了しているか否かの判定処理（Ｓ３５）に戻る。一方、所定時間経過している場合（Ｓ３６，Ｙｅｓ）、ソレノイド１２をＯＦＦの状態にし、温度検知部を温度検知位置に移動させ、ヒートローラ１１の温度検知を行う（Ｓ３７）。
【００２２】
上述の所定時間は必要に応じて任意に変更可能であり、例えばヒートローラの発煙開始時間が３分の場合、１分間に２５枚印字可能な画像形成装置のときは、連続７５枚までの印字は許容範囲とし、連続で７５枚を超えた印字を行う際には３分間に一回の割合で温度検知を行う。
【００２３】
そして、温度検知を行った結果、ヒートローラ１１のローラ面が所定温度以上である（温度異常である）とき（Ｓ３８，Ｙｅｓ）、サーモスタッド１４の不図示のスイッチによりヒータ２ａの電源を切断（オフ）する。また、電源の切断と同時に不図示の表示部においてエラー表示を行う（Ｓ３９）。一方、温度異常ではないとき（Ｓ３８，Ｎｏ）、ソレノイド１２をＯＮの状態にし（Ｓ３４）、Ｓ３５以降の処理を繰り返す。
【００２４】
以上述べたように、本実施の形態による加熱装置は、加熱部により加熱されるヒートローラと、ヒートローラに当接して温度を検知する温度検知位置と、ヒートローラから離間した離間位置との間を移動可能な温度検知部と、温度検知部により検知した温度が所定温度以上であるときに加熱部の電源をオフするスイッチと、所定のタイミングで温度検知部を温度検知位置に移動させる制御部とを備えてなる構成となっている。
【００２５】
このように、温度検知部をヒートローラに対して接触させて温度検知を行うことにより、ヒートローラの高温異常の検知を正確に行うことが可能となり、高精度で安全な温度制御を実現することができる。
【００２６】
また、上述のように、ＣＰＵ２１によって所定時間毎に温度検知部を温度検知位置に移動させる構成とすることで、例えば発煙時間のような、ヒートローラの高温異常の検知に効果的な時間毎に温度検知部による効率的な温度検知を行うことができる。
【００２７】
なお、本実施の形態による画像形成装置において、制御部は、加熱装置によりトナー像を加熱定着されたシートが、ヒートローラを通過した直後に温度検知部を温度検知位置に移動させることが望ましい。このようにすることで、加熱装置においてトナー像を加熱定着されたシートのジャムを回避しつつ、印字中における、高精度で安全なヒートローラの温度制御を実現することが可能な画像形成装置を提供することができる。
（第２の実施の形態）
続いて、本発明の第２の実施の形態について詳細に説明する。
【００２８】
本実施の形態は、上述の第１の実施の形態の変形例である。第１の実施の形態では、温度検知部の移動の駆動源にソレノイドを用いているのに対し、本実施の形態ではヒートローラを回転駆動する不図示のモータに連動した不図示のギアカムを駆動源としている点が異なっている。ここで使用する不図示のギアカムは、ヒートローラの回転駆動を行うメインモータが駆動されているときにはサーモスタッドの温度検知部を離間位置に、駆動されていないときには温度検知位置に移動させるものである。以下、すでに第１の実施の形態において述べた部分についての説明は割愛する。本実施の形態も同様に、上述したような加熱装置を備えた画像形成装置において、この加熱装置によりシートにトナー像を加熱定着させることができる。
【００２９】
図４は、本発明の第２の実施の形態による加熱装置および画像形成装置の動作について説明するためのフローチャートである。
【００３０】
まず、サーモスタッド１４の不図示の温度検知部がヒートローラ１１のローラ面に当接する位置にある状態（すなわち、メインモータが停止している状態）から（Ｓ４１）、温度検知部により検知したヒートローラ１１の温度が所定温度以上（温度異常）であるか否かの判定をＣＰＵ２１により行う（Ｓ４２）。
【００３１】
ヒートローラ１１が温度異常の状態にあるとき（Ｓ４２，Ｙｅｓ）、サーモスタッド１４の不図示のスイッチによりヒータ２ａの電源を切断（オフ）する。また、電源の切断と同時に不図示の表示部においてエラー表示を行う（Ｓ４ａ）。一方、ヒートローラ１１が温度異常の状態でないとき（Ｓ４２，Ｎｏ）、印字動作を開始するか否かの判定をＣＰＵ２１により行う（Ｓ４３）。
【００３２】
印字動作を開始する場合（Ｓ４３，Ｙｅｓ）、不図示のメインモータを回転駆動させ（Ｓ４４）、サーモスタッド１４の温度検知部を離間位置に移動させる（Ｓ４５）。一方、印字動作を開始しない場合（Ｓ４３，Ｎｏ）、再び温度検知処理（Ｓ４２）に戻る。
【００３３】
サーモスタッド１４の温度検知部を離間位置に移動（Ｓ４５）させた後、温度検知部により検知したヒートローラ１１の温度が所定温度以上（温度異常）であるか否かの判定をＣＰＵ２１により行う（Ｓ４６）。
【００３４】
ヒートローラ１１が温度異常の状態にあるとき（Ｓ４６，Ｙｅｓ）、サーモスタッド１４の不図示のスイッチによりヒータ２ａの電源を切断（オフ）する。また、電源の切断と同時に不図示の表示部においてエラー表示を行う（Ｓ４ａ）。一方、ヒートローラ１１が温度異常の状態でないとき（Ｓ４６，Ｎｏ）、印字動作を終了するか否かの判定をＣＰＵ２１により行う（Ｓ４７）。
【００３５】
印字動作を終了する場合（Ｓ４７，Ｙｅｓ）、不図示のメインモータの駆動を停止させ（Ｓ４８）、サーモスタッド１４の温度検知部を温度検知位置に移動させる（Ｓ４１）。一方、印字動作を終了しない場合（Ｓ４７，Ｎｏ）、再び温度検知処理（Ｓ４６）に戻る。
【００３６】
以上に詳述したように本発明によれば、ヒートローラの高温異常を正確に検知し、高精度で安全な温度制御を実現することのできる加熱装置、画像形成装置を提供することができる。
【００３７】
【発明の効果】
以上に詳述したように本発明によれば、ヒートローラの高温異常を正確に検知し、高精度で安全な温度制御を実現することのできる加熱装置、画像形成装置を提供することができる。
【図面の簡単な説明】
【図１】本発明の第１の実施の形態による加熱装置および画像形成装置について説明するための全体構成図である。
【図２】本発明の第１の実施の形態による加熱装置および画像形成装置について説明するための機能ブロック図である。
【図３】本発明の第１の実施の形態による加熱装置および画像形成装置について説明するためのフローチャートである。
【図４】本発明の第２の実施の形態による加熱装置および画像形成装置について説明するためのフローチャートである。
【符号の説明】
１１  ヒートローラ、１２  ソレノイド、１３  サーミスタ、１４  サーモスタッド、２１  ＣＰＵ、２２  ＲＯＭ、２３  ＲＡＭ、２４  Ｉ／Ｏポート、２８
Ａ／Ｄコンバータ、２ａ  ヒータ。
【図１】
2005017511.tif 000003
【図２】
2005017511.tif 000004
【図３】
2005017511.tif 000005
【図４】
2005017511.tif 000006